(57)【要約】【課題】用紙幅方向を下凸形状に矯正させて用紙Ｐを排紙台１１上に積載する。【解決手段】排紙台１１上で用紙Ｐの幅方向の両側端縁Ｐａ，Ｐｂを排紙方向に沿ってガイドする一対のサイドフェンス１３Ｌ，１３Ｒと、一対のサイドフェンス１３Ｌ，１３Ｒに支持部材２１を介して互いに対向して揺動自在に取り付けられており、一対のサイドフェンス１３Ｌ，１３Ｒの各内面側に突出した状態で用紙Ｐの幅方向の両側端縁を当接させる一端部２２ａを有する揺動部材２２と、用紙Ｐの幅方向の両側端縁が揺動部材２２の一端部に当接した際に、揺動部材２２によって用紙Ｐに与える回転モーメンを調整するように揺動部材２２と支持部材２１との間に調整自在に設けられた揺動部材回転モーメント調整手段２５と、を備えたことを特徴とする排紙装置１０を提供する。【選択図】図２
2013170083.tif 000002
【特許請求の範囲】
【請求項１】
印刷済みの用紙を排紙するときに、用紙排紙方向と直交する用紙幅方向を下凸形状に矯正させて前記用紙を排紙台上に積載する排紙装置において、
前記用紙を積載する用紙積載面が形成された排紙台と、
前記排紙台上で前記用紙の排紙方向と略平行に互いに対向して設けられ、且つ、前記用紙の幅方向の両側端縁を排紙方向に沿ってガイドする一対のサイドフェンスと、
前記一対のサイドフェンスに支持部材を介して互いに対向して揺動自在に取り付けられており、前記一対のサイドフェンスの各内面側に突出した状態で前記用紙の幅方向の両側端縁を当接させる一端部を有する揺動部材と、
前記用紙の幅方向の両側端縁が前記揺動部材の一端部に当接した際に、前記揺動部材によって前記用紙に与える回転モーメントを調整するように前記揺動部材と前記支持部材との間に調整自在に設けられた揺動部材回転モーメント調整手段と、
を備えたことを特徴とする排紙装置。
【請求項２】
前記揺動部材回転モーメント調整手段は、揺動支点を中心に揺動自在な回転モーメント調整部材の一端を前記揺動部材の一端部と軸を介した他端部上に当接させ、且つ、前記回転モーメント調整部材の揺動支点を前記支持部材上を変位する変位部材に軸支させて、前記変位部材の変位により前記回転モーメント調整部材の一端が前記揺動部材の他端部上に当接する当接位置を可変させることを特徴とする請求項１に記載の排紙装置。
【請求項３】
前記排紙台上に積載された前記印刷済みの用紙を該排紙台から上方に向って取り出すときに、前記印刷済みの用紙の幅方向の両側端縁で前記揺動部材の一端部を前記一対のサイドフェンスの各内面から退避するように揺動させると共に、前記回転モーメント調整部材を前記揺動部材の退避に対して妨げないように揺動させることを特徴とする請求項２に記載の排紙装置。
【発明の詳細な説明】
【技術分野】
【０００１】
本発明は、印刷済みの用紙を排紙するときに、用紙排紙方向と直交する用紙幅方向を下凸形状に矯正させて用紙を排紙台上に整然と積載できる排紙装置に関する。
【背景技術】
【０００２】
用紙上に画像や文字をインクを用いて印刷できる印刷装置として、インクジェットプリンタ，孔版印刷装置やオフセット印刷装置などが多用されている。
【０００３】
この種の印刷装置により印刷された印刷済みの用紙は、排紙時に用紙排紙方向に沿って搬送されながら排紙台上に順次積載されるが、印刷中にインクが浸透する用紙の上面側のインク印刷面での繊維が膨潤して伸びてしまい、用紙排紙方向と直交する用紙幅方向が上凸形状にカールした状態で排紙される。
【０００４】
上記した排紙台上には、通常、用紙の排紙方向と略平行に互いに対向して一対のサイドフェンスが設けられ、且つ、用紙の排紙方向と略直交して排紙方向の下流側にエンドフェンスが設けられている。
【０００５】
そして、印刷済みの用紙を排紙台上に積載する際に、印刷済みの用紙の幅方向の両側端縁は一対のサイドフェンスに沿ってガイドされ、且つ、印刷済みの用紙の排紙方向の先端縁はエンドフェンスに衝突して前方への移動が規制されている。
【０００６】
しかしながら、印刷時のインクの作用により用紙幅方向が上凸形状にカールして排紙された印刷済みの用紙は、排紙台上で用紙幅方向の両側端縁が一対のサイドフェンスに沿わずに内側に偏って積載されるために印刷済みの用紙の積載位置が不揃いとなる。
【０００７】
そこで、排紙台上に積載される印刷済みの用紙の幅方向が上凸形状にカールしたときに生じる積載位置の不揃いを解消するために、上凸形状にカールして排紙される印刷済みの用紙を、排紙時に用紙幅方向を下凸形状に矯正させながら用紙の幅方向の両側端縁を一対のサイドフェンスに沿わせて排紙台上に整然と積載できる薄葉体積載受容装置がある（例えば、特許文献１参照）。
【０００８】
特許文献１に開示された薄葉体積載受容装装置では、ここでの図示を省略するが、排紙された印刷済みの用紙を積載する排紙台（基台）と、排紙台上に互いに対向して設けられて印刷済みの用紙の幅方向の両側端縁をガイドする一対のサイドフェンス（一対の側板）と、排紙台上で排紙方向の下流側に設けられて印刷済みの用紙の排紙方向の先端縁を突き当てて規制するエンドフェンス（突き当て板）と、一対のサイドフェンスに互いに対向して揺動可能に一対以上設けられており、一対のサイドフェンスの各内面側に突出して排紙台に向かって傾斜した一端部で落下する上凸形状の用紙の幅方向の両側端縁を支えて下凸形状に矯正し、下凸形状を保持したまま用紙の自重により一端部が更に排紙台に向って揺動して用紙を排紙台上に落下させる一対以上の揺動部材（一対以上の可動部材）と、を備えて構成されている。
【先行技術文献】
【特許文献】
【０００９】
【特許文献１】特許第３２６７３８２号公報
【発明の概要】
【発明が解決しようとする課題】
【００１０】
ところで、上記した特許文献１に開示された薄葉体積載受容装装置によれば、用紙幅方向が上凸形状にカールした状態で排紙された印刷済みの用紙を、一対のサイドフェンスに揺動可能に設けた一対以上の揺動部材により用紙幅方向を下凸形状に矯正することで、下凸形状に矯正された用紙の幅方向の両側端縁を一対のサイドフェンスに沿わせて排紙台上に整然と積載できるものの、一対以上の揺動部材は一つの用紙の自重で揺動するように各揺動部材の回転モーメントが一義的に予め設定されている。
【００１１】
一方、印刷装置で用いられる用紙は、坪量が６０ｇ／ｍ２以下の薄紙や、坪量が６０ｇ／ｍ２〜１２０ｇ／ｍ２程度の普通紙や、坪量が１２０ｇ／ｍ２以上の厚紙など複数種がある。
【００１２】
従って、薄紙，普通紙，厚紙など用紙の種類により用紙の重量が異なると共に、Ａ３，Ｂ３，Ａ４，Ｂ４，Ａ５，Ｂ５など用紙の外形サイズによっても用紙の重量が異なるために、一つの用紙に対して各揺動部材の回転モーメントが一義的に設定されている場合に、各揺動部材は用紙の種類や外形サイズに対応できない。
【００１３】
例えば、Ａ３サイズの普通紙に合わせて回転モーメントが一義的に設定されている一対以上の揺動部材の一端部にＡ３サイズの薄紙の幅方向の両側端縁が当接した場合、この薄紙は重量が普通紙よりも軽いので一対以上の揺動部材の一端部を薄紙の重さで押し切れずにはじかれて用紙が排紙台上に落下してしまい、これにより用紙の幅方向の両側端縁が一対のサイドフェンスに沿わないために排紙台上で用紙の積載位置が揃わない状況になる。
【００１４】
一方、Ａ３サイズの普通紙に合わせて回転モーメントが一義的に設定されている一対以上の揺動部材の一端部にＡ３サイズの厚紙の幅方向の両側端縁が当接した場合、この厚紙は重量が普通紙よりも重いので一対以上の揺動部材の一端部を厚紙の重さで早く押し切ってしまうので下凸形状に矯正できず、上凸形状のまま用紙が排紙台上に落下するためにこの場合も用紙の積載位置が揃わない状況になる。
【００１５】
そこで、印刷済みの用紙を排紙するときに、用紙排紙方向と直交する用紙幅方向を下凸形状に矯正させて用紙を排紙台上に積載するにあたって、一対のサイドフェンスに互いに対向して揺動可能に取り付けられた揺動部材の回転モーメントを用紙の種類や外形サイズに応じて調整でき、更に、必要に応じて揺動部材の一端部を一対のサイドフェンスの各内面に対して出没できる排紙装置を提供することを目的とする。
【課題を解決するための手段】
【００１６】
本発明は上記課題に鑑みてなされたものであり、請求項１に記載の発明は、印刷済みの用紙を排紙するときに、用紙排紙方向と直交する用紙幅方向を下凸形状に矯正させて前記用紙を排紙台上に積載する排紙装置において、
前記用紙を積載する用紙積載面が形成された排紙台と、
前記排紙台上で前記用紙の排紙方向と略平行に互いに対向して設けられ、且つ、前記用紙の幅方向の両側端縁を排紙方向に沿ってガイドする一対のサイドフェンスと、
前記一対のサイドフェンスに支持部材を介して互いに対向して揺動自在に取り付けられており、前記一対のサイドフェンスの各内面側に突出した状態で前記用紙の幅方向の両側端縁を当接させる一端部を有する揺動部材と、
前記用紙の幅方向の両側端縁が前記揺動部材の一端部に当接した際に、前記揺動部材によって前記用紙に与える回転モーメントを調整するように前記揺動部材と前記支持部材との間に調整自在に設けられた揺動部材回転モーメント調整手段と、
を備えたことを特徴とする排紙装置である。
【００１７】
また、請求項２に記載の発明は、上記した請求項１に記載の排紙装置において、
前記揺動部材回転モーメント調整手段は、揺動支点を中心に揺動自在な回転モーメント調整部材の一端を前記揺動部材の一端部と軸を介した他端部上に当接させ、且つ、前記回転モーメント調整部材の揺動支点を前記支持部材上を変位する変位部材に軸支させて、前記変位部材の変位により前記回転モーメント調整部材の一端が前記揺動部材の他端部上に当接する当接位置を可変させることを特徴とする排紙装置である。
【００１８】
また、請求項３に記載の発明は、上記した請求項２に記載の排紙装置において、
前記排紙台上に積載された前記印刷済みの用紙を該排紙台から上方に向って取り出すときに、前記印刷済みの用紙の幅方向の両側端縁で前記揺動部材の一端部を前記一対のサイドフェンスの各内面から退避するように揺動させると共に、前記回転モーメント調整部材を前記揺動部材の退避に対して妨げないように揺動させることを特徴とする排紙装置である。
【発明の効果】
【００１９】
請求項１記載の排紙装置によれば、用紙排紙方向と直交する用紙幅方向を下凸形状に矯正させて用紙を排紙台上に積載する際に、とくに、一対のサイドフェンスの各内面側に突出した状態で揺動部材を揺動自在に取り付けて、用紙の幅方向の両側端縁が揺動部材の一端部に当接した際に、揺動部材によって用紙に与える回転モーメントを調整するように揺動部材回転モーメント調整手段を揺動部材と支持部材との間に調整自在に設けることで、重量が異なる用紙の種類や外形サイズに応じて揺動部材の回転モーメントを調整できるので、用紙の種類や外形サイズに応じて印刷済みの用紙の幅方向を揺動部材により下凸形状に確実に矯正でき、印刷済みの用紙を排紙台上に用紙積載位置が揃った状態で整然と積載できる。
【００２０】
また、請求項２記載の排紙装置によれば、揺動部材回転モーメント調整手段は、揺動支点を中心に揺動自在な回転モーメント調整部材の一端を揺動部材の一端部と軸を介した他端部上に当接させ、且つ、回転モーメント調整部材の揺動支点を支持部材上を変位する変位部材に軸支させて、変位部材の変位により回転モーメント調整部材の一端が揺動部材の他端部上に当接する当接位置を可変させているので、簡単な構造により揺動部材の回転モーメントを用紙の種類や外形サイズに応じて調整できる。
【００２１】
また、請求項３記載の排紙装置によれば、排紙台上に積載された印刷済みの用紙を排紙台から上方に向って取り出すときに、印刷済みの用紙の幅方向の両側端縁で揺動部材の一端部を一対のサイドフェンスの各内面から退避するように揺動させると共に、回転モーメント調整部材を揺動部材の退避に対して妨げないように揺動させているので、排紙台上に積載された印刷済みの用紙を容易に取り出すことができる。
【図面の簡単な説明】
【００２２】
【図１】本発明に係る実施例１の排紙装置の全体構成を示した斜視図である。
【図２】本発明に係る実施例１の排紙装置において、用紙カール矯正手段を拡大して示した斜視図である。
【図３】図２に示した用紙カール矯正手段において、（ａ），（ｂ）はイーイ方向に矢視したときの上面図，縦断面図であり、（ｃ），（ｄ）はローロ方向に矢視したときの上面図，縦断面図である。
【図４】（ａ），（ｂ）は実施例１の用紙カール矯正手段において、支持部材内の前面側に揺動可能に支持した揺動部材を使用状態と未使用状態とに出没自在に切り替える状態を示した斜視図である。
【図５】（ａ），（ｂ）は実施例１の揺動部材回転モーメント調整手段において、支持部材内の後方側に揺動可能に支持した回転モーメント調整部材を使用状態と未使用状態とに切り替える状態を示した斜視図である。
【図６】（ａ）〜（ｃ）は実施例１の用紙カール矯正手段において、支持部材内の前面側に揺動可能に支持した揺動部材を印刷済みの用紙の種類に応じて回転モーメントを調整するときの動作図である。
【図７】実施例１の排紙装置において、左右一対のサイドフェンスの各外面に互に対向して２組の用紙カール矯正手段を高さを違えて取り付けた状態を示した図である。
【図８】実施例１の用紙カール矯正手段において、印刷済みの用紙を排紙台上から上方に向かって取り出す状態を示した縦断面図である。
【図９】（ａ）〜（ｃ）は実施例２の用紙カール矯正手段において、支持部材内の前面側に揺動可能に支持した揺動部材を印刷済みの用紙の種類に応じて回転モーメントを調整するときの動作図である。
【発明を実施するための形態】
【００２３】
以下に本発明に係る排紙装置を実施する形態につき、好ましい実施例について図１〜図９を参照して詳細に説明する。
【実施例１】
【００２４】
図１は、本発明に係る実施例１の排紙装置の全体構成を示した斜視図である。
【００２５】
図１に示す如く、本発明に係る実施例１の排紙装置１０は、用紙Ｐ上に画像や文字をインクを用いて印刷できるインクジェットプリンタ，孔版印刷装置やオフセット印刷装置などの印刷装置１に形成された用紙排紙口１ａよりも下流側に設置されている。
【００２６】
この際、印刷装置１の用紙排紙口１ａから排出される印刷済みの用紙Ｐは、印刷中にインクの作用により上面側のインク印刷面Ｐｉでの繊維が膨潤して伸びてしまい、用紙排紙方向と直交する用紙幅方向が上凸形状にカールした状態で排紙される。
【００２７】
上記した実施例１の排紙装置１０は、印刷済みの用紙Ｐを積載する用紙積載面１１ａが形成された排紙台１１と、排紙台１１上で用紙Ｐの排紙方向と略平行に互いに対向して左右に設けられ、且つ、用紙Ｐの幅方向の両側端縁Ｐａ，Ｐｂを排紙方向に沿ってガイドする左右一対のサイドフェンス１３Ｌ，１３Ｒと、排紙台１１上で用紙Ｐの排紙方向と略直交して排紙方向の下流側に設けられ、且つ、用紙Ｐの排紙方向の先端縁Ｐｃを突き当てて規制するエンドフェンス１５と、左右一対のサイドフェンス１３Ｌ，１３Ｒのうちで用紙搬送方向の上流側に互いに対向して取り付けられており、且つ、用紙幅方向が上凸形状にカールした印刷済みの用紙Ｐに対して用紙幅方向を下凸形状に矯正させる用紙カール矯正手段２０（２０Ａ，２０Ｂ）とで構成されている。
【００２８】
ここで、上記した排紙装置１０内の各構成部材について具体的に説明する。
【００２９】
まず、排紙台１１は、印刷済みの用紙Ｐを積載する用紙積載面１１ａが用紙幅方向の略中央部位で用紙搬送方向に沿って平坦に形成された平坦面１１ａ１と、この平坦面１１ａ１の左右に連接して徐々に上方に向かって左右対称に傾斜した傾斜面１１ａ２，１１ａ３とにより下凸形状に形成されている。これにより印刷済みの用紙Ｐは用紙幅方向が下凸形状にカールした状態で排紙台１１の用紙積載面１１ａ上に積載可能になっている。
【００３０】
次に、左右一対のサイドフェンス１３Ｌ，１３Ｒは、用紙搬送方向に沿った略中央部位が排紙台１１の傾斜面１１ａ２，１１ａ３上で用紙幅方向に沿って形成した左右一対のガイド溝１１ｂ１，１１ｂ２に案内されて左右方向にスライド可能になっている。
【００３１】
これにより、左右一対のサイドフェンス１３Ｌ，１３Ｒは、印刷済みの用紙Ｐの幅寸法に合わせてスライド位置を決めることができるようになっており、サイドフェンス１３Ｌ，１３Ｒの各外面下方に取り付けた左右一対のサイドフェンス保持部材１４Ｌ，（１４Ｒ…図示せず）によって印刷済みの用紙Ｐの幅寸法に合わせて所定位置に位置決めされている。
【００３２】
また、左右一対のサイドフェンス１３Ｌ，１３Ｒは、排紙台１１の用紙積載面１１ａのうちで平坦面１１ａ１に対して略垂直に取り付けられているので、印刷装置１から排紙された印刷済みの用紙Ｐの両側端縁Ｐａ，Ｐｂを用紙排紙方向に沿ってガイドすることが可能になっている。
【００３３】
次に、エンドフェンス１５は、排紙台１１の用紙積載面１１ａのうちで平坦面１１ａ１上に用紙搬送方向に沿って形成したガイドレール１１ｃに案内されて前後方向にスライド可能になっている。
【００３４】
これにより、エンドフェンス１５は、印刷済みの用紙Ｐの用紙搬送方向の長さ寸法に合わせてスライド位置を決めることができるようになっており、エンドフェンス１５の外面下方に取り付けたエンドフェンス保持部材１６によって印刷済みの用紙Ｐの長さ寸法に合わせて所定位置に位置決めされている。
【００３５】
次に、用紙カール矯正手段２０は、この実施例１の要部となるものであり、左右一対のサイドフェンス１３Ｌ，１３Ｒの高さ方向に沿って長尺にユニット化されており、同一構造に形成された２組の用紙カール矯正手段２０Ａ，２０Ｂが左右一対のサイドフェンス１３Ｌ，１３Ｒの各外面に互いに対向して着脱自在に取り付けられている。
【００３６】
この実施例１では、一対の用紙カール矯正手段２０Ａ，２０Ａが、左右一対のサイドフェンス１３Ｌ，１３Ｒのうちで用紙搬送方向の最上流側に貫通して形成した第１縦孔（１３ａ…図示せず），１３ａに沿って取り付けられており、これらの第１縦孔１３ａ内に後述する１個以上の揺動部材２２が互いに対向して臨んでいる。
【００３７】
また、一対の用紙カール矯正手段２０Ｂ，２０Ｂが、第１縦孔（１３ａ），１３ａよりも下流側に高さＨ１だけ下方にずらして貫通して形成した第２縦孔（１３ｂ…図示せず），１３ｂに沿って取り付けられており、これらの第２縦孔１３ｂ内に後述する１個以上の揺動部材２２が互いに対向して臨んでいる。
【００３８】
また、同一構造による２組の用紙カール矯正手段２０Ａ，２０Ｂは、左右一対のサイドフェンス１３Ｌ，１３Ｒの各外面に互に対向してＨ１だけ高さを違えて取り付けられている。
【００３９】
ここで、図２は上記した用紙カール矯正手段２０（２０Ａ又は２０Ｂ）を拡大して示した斜視図であり、図３（ａ）〜（ｄ）は用紙カール矯正手段２０を図２のイーイ矢視方向及びローロ矢視方向からそれぞれ見た上面図及び縦断面図である。
【００４０】
図２に拡大して示す如く、実施例１の用紙カール矯正手段２０（２０Ａ又は２０Ｂ）は、サイドフェンス１３Ｌ又は１３Ｒに貫通して形成した第１縦孔１３ａ又は第２縦孔１３ｂに沿って取り付けられている。
【００４１】
この用紙カール矯正手段２０では、基台となる支持部材２１が前面２１ａを開口し且つ内部２１ｂを中空にして後面２１ｃを閉じた状態で直方形状の箱体に形成されており、この支持部材２１はサイドフェンス１３Ｌ又は１３Ｒの高さ方向に沿って長尺に形成されている。この際、支持部材２１の前面２１ａ側が、サイドフェンス１３Ｌ又は１３Ｒの内面に向くように取り付けられている。
【００４２】
また、支持部材２１の前面２１ａ側の内部には、１個以上の揺動部材２２が揺動可能に取り付けられており、この実施例１では３個の揺動部材２２が支持部材２１の高さ方向に所定の間隔を隔てて配置されている。
【００４３】
上記した３個の揺動部材２２それぞれは、先端側となる板状の一端部２２ａと、後端側となる板状の他端部２２ｂとが接合する部位のなす角度を図３（ｂ）に示すように略１３５°程度屈曲させて「く字状」に形成されており、且つ、一端部２２ａと他端部２２ａとが交差する幅方向の両側に揺動支点となる一対の軸２３，２３が嵌め込まれている。
【００４４】
また、各揺動部材２２の幅方向の両側に嵌め込まれる一対の軸２３，２３は、支持部材２１のうちで間隔を隔てて互いに対向した一方の側面２１ｄ及び他方の側面２１ｅに貫通して高さ方向に所定の間隔を隔ててそれぞれ３ヶ所形成した三日月状溝２１ｄ１，２１ｅ１内に揺動可能に軸支されている。
【００４５】
この際、各三日月状溝２１ｄ１，２１ｅ１は、支持部材２１の前面２１ａ側の高さが低く、且つ、支持部材２１の前面２１ａ側から後面２１ｃ側に向かって高さが徐々に高くなるように三日月状に形成されている。
【００４６】
そして、各揺動部材２２の幅方向の両側に嵌め込まれる一対の軸２３，２３が支持部材２１の一対の側面２１ｄ，２１ｅに形成した各三日月状溝２１ｄ１，２１ｅ１内のうちで最下端部位に軸支されているときに、各揺動部材２２の一端部２２ａは、排紙台１１側に向かって傾斜して、サイドフェンス１３Ｌ又は１３Ｒに貫通して形成した第１縦孔１３ａ又は第２縦孔１３ｂからサイドフェンス１３Ｌ又は１３Ｒの内面側に突出している。
【００４７】
この際、３個の揺動部材２２それぞれは、一対の軸２３，２３を中心にして一端部２２ａ側が排紙台１１側に向かって傾斜できるように回転モーメントが設定されている。
【００４８】
この実施例１では、揺動部材２２によって用紙Ｐに与える回転モーメントが調整可能になっているが、これについては後で述べる。
【００４９】
そして、排紙時に用紙幅方向が上凸形状にカールした印刷済みの用紙Ｐの幅方向の両側端縁Ｐａ，Ｐｂ（図１）が、各揺動部材２２の一端部２２ａに当接可能になっている。
【００５０】
一方、各揺動部材２２の他端部２２ｂは、下記する上下動可能な第１切り替え部材２４に形成した第１ストッパ片２４ｃ｛図３（ｂ）｝に当接して水平状態を保っている。
【００５１】
上記した第１切り替え部材２４は、後述するように３個の揺動部材２２の一端部２２ａを支持部材２１の内部２１ｂに収納させる機能を備えており、板材を逆Ｌ字状に折り曲げて上方に形成した水平片２４ａに連接して垂直片２４ｂが支持部材２１の高さ方向に沿って長尺に形成されている。
【００５２】
そして、第１切り替え部材２４の垂直片２４ｂは、図３（ａ），（ｂ）に示したように、支持部材２１の一方の側面２１ｄの外側上下左右に突出形成した第１垂直カイド片２１ｄ２に沿って上下動可能に取り付けられている。
【００５３】
また、第１切り替え部材２４の垂直片２４ｂの内面には、３個の揺動部材２２の他端部２２ｂに対応して高さ方向に間隔を隔てて３個の第１ストッパ片２４ｃが水平に突出形成されており、これら３個の第１ストッパ片２４ｃは支持部材２１の一方の側面２１ｄに貫通して形成した３個の角孔２１ｄ３から内部に進入して３個の揺動部材２２の他端部２２ｂを水平に支持している。
【００５４】
図２に戻り、支持部材２１の内部２１ｂの後方には、実施例１の揺動部材回転モーメント調整手段２５が一対以上の揺動部材２２と対応して設けられている。
【００５５】
上記した実施例１の揺動部材回転モーメント調整手段２５は、重量が異なる用紙Ｐの種類や外形サイズに応じて一対以上の揺動部材２２の回転モーメントを調整する一対以上の回転モーメント調整部材２６と、一対以上の回転モーメント調整部材２６を揺動支点となる一対の軸２７，２７を介して軸支しながら支持部材２１の前後方向に水平移動可能な水平変位部材２８とから構成されている。
【００５６】
尚、この実施例１では、支持部材２１内に揺動可能に取り付けた３個の揺動部材２２と対応して回転モーメント調整部材２６が水平変位部材２８に揺動可能に３個取り付けられている。
【００５７】
上記した回転モーメント調整部材２６は、平板状に形成されて揺動部材２２の他端部２２ｂ上に当接し、後端幅方向の両側に一対の軸２７，２７が嵌め込まれるように形成されている。
【００５８】
また、各回転モーメント調整部材２６の幅方向の両側に嵌め込まれる一対の軸２７，２７は、支持部材２１の一対の側面２１ｄ，２１ｅに貫通させた逃げ孔（図示せず）を通って、支持部材２１の前後方向に向って水平にスライドする水平変位部材２８の一対の側面（２８ｂ…図示せず），２８ｃに揺動可能に軸支されている。
【００５９】
上記した水平変位部材２８は、図３（ａ），（ｂ）に示したように、支持部材２１の後面２１ｃの外側と対向する面２８ａと、支持部材２１の一対の側面２１ｄ，２１ｅの各外側と対向する一対の側面２８ｂ，２８ｃとが「コ字状」に折り曲げられて支持部材２１の高さ方向に長尺に形成されていると共に、面２８ａの外側で高さ方向の中間部位に手で把持するための把持片２８ｄが突出形成されている。従って、手で把持片２８ｄを把持しながら水平変位部材２８を前後方向にスライドさせることができるようになっている。
【００６０】
また、水平変位部材２８は、支持部材２１の一対の側面２１ｄ，２１ｅの外側上下にそれぞれ突出形成した第１水平カイド片２１ｄ４｛図３（ｂ）｝，第２水平カイド片２１ｅ２｛図３（ｄ）｝に沿って前後方向にスライド可能に取り付けられている。
【００６１】
そして、水平変位部材２８が前後方向に向って水平にスライドしたときに、３個の回転モーメント調整部材２６に嵌め込まれて水平変位部材２８の一対の側面２８ｂ，２８ｃに軸支された一対の軸２７，２７も前後方向に移動するので、後述するように３個の回転モーメント調整部材２６が３個の揺動部材２２の他端部２２ｂ上に当接しながら前後方向に移動可能になっている。
【００６２】
再び図２に戻り、支持部材２１の他方の側面２１ｅの外側には、第２切り替え部材２９が上下動可能に設けられている。
【００６３】
上記した第２切り替え部材２９は、後述するように３個の回転モーメント調整部材２６を３個の揺動部材２２の一端部２２ａから離間させる機能を備えており、板材を逆Ｌ字状に折り曲げて上方に形成した水平片２９ａに連接して垂直片２９ｂが支持部材２１の高さ方向に沿って長尺に形成されている。
【００６４】
そして、第２切り替え部材２９の垂直片２９ｂは、図３（ｃ），（ｄ）に示したように、支持部材２１の他方の側面２１ｅの外側上下左右に突出形成した第２垂直カイド片２１ｅ３に沿って上下動可能に取り付けられている。
【００６５】
また、第２切り替え部材２９の垂直片２９ｂの内面には、３個の回転モーメント調整部材２６に対応して高さ方向に間隔を隔てて３個の第２ストッパ片２９ｃが垂直に突出形成されており、これら３個の第２ストッパ片２９ｃは支持部材２１の他方の側面２１ｅに貫通して形成した３個の長孔２１ｅ４から内部に進入して３個の回転モーメント調整部材２６の下面を水平に支持している。
【００６６】
ここで、上記のように構成した実施例１の用紙カール矯正手段２０の動作について説明する。
【００６７】
まず、図４（ａ），（ｂ）は実施例１の用紙カール矯正手段２０において、支持部材２１内の前面２１ａ側に揺動可能に支持した揺動部材２２を使用状態と未使用状態とに出没自在に切り替える状態を示している。
【００６８】
図４（ａ）に示す如く、実施例１の用紙カール矯正手段２０の揺動部材２２が使用状態であるときには、揺動部材２２の一対の軸２３，（２３）が支持部材２１の一対の側面２１ｄ，（２１ｅ）に形成した三日月状溝２１ｄ１，（２１ｅ１）内のうちで最下端部位に軸支されており、揺動部材２２の一端部２２ａは排紙台１１側に向かって傾斜し、支持部材２１の前面２１ａよりも突出している。
【００６９】
このとき、第１切り替え部材２４を支持部材２１の一方の側面２１ｄの外側に沿って下動させて、第１切り替え部材２４に形成したストッパ片２４ｃを支持部材２１の一方の側面２１ｄに貫通して形成した角孔２１ｄ３から内部に進入させて、このストッパ片２４ｃで揺動部材２２の他端部２２ｂを水平に支持させている。また、揺動部材２２の他端部２２ｂ上に回転モーメント調整部材２６が当接している。
【００７０】
そして、揺動部材２２が使用状態のときには、上凸形状にカールした印刷済みの用紙Ｐの幅方向の両端部Ｐａ，Ｐｂ（図１）が揺動部材２２の一端部２２ａに当接しながら排紙台１１（図１）上に向って落下できるようになっている。
【００７１】
一方、図４（ｂ）に示す如く、揺動部材２２が未使用状態であるときには、第１切り替え部材２４を支持部材２１の一方の側面２１ｄの外側に沿って上動させ、第１切り替え部材２４に形成したストッパ片２４ｃで揺動部材２２の他端部２２ｂを上方に持ち上げることにより、揺動部材２２の一端部２２ａが一対の軸（２３），２３を中心に図示反時計方向に揺動するので、揺動部材２２の一端部２２ａは支持部材２１の前面２１ａよりも内側の内部２１ｂ内に退避して未使用状態に至る。
【００７２】
この際、揺動部材２２の図示反時計方向への揺動により、揺動部材２２の他端部２２ｂが持ち上げられる動作に伴って、この他端部２２ｂ上に当接している回転モーメント調整部材２６は一対の軸（２７），２７を中心に図示時計方向に揺動し、回転モーメント調整部材２６は揺動部材２２に支障のないように退避している。
【００７３】
そして、揺動部材２２が未使用状態のときには、印刷済みの用Ｐの印字率が低く、印刷済みの用紙Ｐの幅方向が上凸形状にカールすることなく、平坦のままで排紙される場合に対応しており、ユーザが第１切り替え部材２４を上動させているので、平坦のままで排紙される印刷済みの用Ｐの幅方向の両端部Ｐａ，Ｐｂ（図１）が揺動部材２２の一端部２２ａに当接することなく排紙台１１（図１）上に向って落下できるようになっている。
【００７４】
次に、図５（ａ），（ｂ）は実施例１の揺動部材回転モーメント調整手段２５において、支持部材２１内の後方側に揺動可能に支持した回転モーメント調整部材２６を使用状態と未使用状態とに切り替える状態を示している。
【００７５】
図５（ａ）に示す如く、揺動部材２２の回転モーメントを調整する揺動部材回転モーメント調整手段２５の回転モーメント調整部材２６が使用状態であるときには、第２切り替え部材２９を支持部材２１の他方の側面２１ｅの外側に沿って下動させ、第２切り替え部材２９に形成したストッパ片２９ｃを支持部材２１の他方の側面２１ｅに貫通して形成した長孔２１ｅ４から内部に進入させて、このストッパ片２９ｃを回転モーメント調整部材２６の下面に当接させると共に、回転モーメント調整部材２６を水平状態を保っている揺動部材２２の他端部２２ｂ上に当接させているので、回転モーメント調整部材２６も水平状態を維持している。
【００７６】
そして、回転モーメント調整部材２６が使用状態であるときには、後述するように揺動部材２２の回転モーメントを印刷済みの用紙Ｐの種類や外形サイズに応じて調整可能になっている。
【００７７】
一方、図５（ｂ）に示す如く、回転モーメント調整部材２６が未使用状態であるときには、第２切り替え部材２９を支持部材２１の他方の側面２１ｅの外側に沿って上動させ、第２切り替え部材２９に形成したストッパ片２９ｃで回転モーメント調整部材２６を上方に持ち上げることにより、回転モーメント調整部材２６が一対の軸（２７），２７を中心に図示反時計方向に揺動するので、回転モーメント調整部材２６は揺動部材２２の他端部２２ｂから離間して揺動部材２２に対して支障のないように退避した未使用状態に至る。
【００７８】
そして、回転モーメント調整部材２６が未使用状態であるときには、後述するように揺動部材２２はそのものの回転モーメントになっている。
【００７９】
次に、図６（ａ）〜（ｃ）は実施例１の用紙カール矯正手段２０において、支持部材２１内の前面２１ａ側に揺動可能に支持した揺動部材２２を印刷済みの用紙Ｐの種類に応じて回転モーメントを調整するときの動作を示している。
【００８０】
尚、この図６中では、重量が異なる用紙Ｐの種類の場合について説明するが、重量が異なる用紙Ｐの外形サイズの場合にも用紙の重量に応じて揺動部材２２の回転モーメントを調整すれば良いものである。
【００８１】
図６（ａ）に示す如く、坪量が６０ｇ／ｍ２以下の薄紙の場合には、薄紙の重量が最も軽いので、揺動部材２２の回転モーメントを薄紙の自重に応じて揺動できるように予め設定している。従って、薄紙の場合には揺動部材２２の回転モーメントが低く設定されている。
【００８２】
このときに、回転モーメント調整部材２６を軸支している水平変位部材２８は支持部材２１の前方側に予めスライドされているが、水平変位部材２８のスライド位置に関係なく、回転モーメント調整部材２６は先に図５（ｂ）を用いて説明したように軸２７を中心にして図示時計方向に揺動して揺動部材２２の他端部２２ｂ上から離間して未使用状態になっているので、実施例１の揺動部材回転モーメント調整手段２５は機能していない状態である。
【００８３】
ここで、印刷済みの薄紙の幅方向が上凸形状にカールした状態で排紙されて落下すると、薄紙の幅方向の両側端縁が３個の揺動部材２２のうちで最上段の揺動部材２２の一端部２２ａに当接する。この際、３個の揺動部材２２の他端部２２ｂは、第１切り替え部材２４に形成したストッパ片２４ｃに当接して水平状態を保っている。
【００８４】
そして、各揺動部材２２は薄紙に応じて回転モーメントが予め設定されているので、薄紙の自重で最上段の揺動部材２２の一端部２２ａが軸２３を中心にして図示反時計方向に揺動するので、薄紙は最上段の揺動部材２２の一端部２２ａから落下し、更に最上段の揺動部材２２よりも下方の揺動部材２２の一端部２２ａに順次当接する。
【００８５】
従って、薄紙の幅方向の両側端縁が複数の揺動部材２２の一端部２２ａに当接することにより、薄紙の幅方向が下凸形状に矯正されながらこの薄紙の幅方向の両側端縁がサイドフェンス１３Ｌ又は１３Ｒに沿って落下するので、排紙台１１（図１）上に用紙積載位置が揃った状態で整然と積載される。
【００８６】
一方、図６（ｂ）に示す如く、坪量が６０ｇ／ｍ２〜１２０ｇ／ｍ２程度の普通紙の場合には、普通紙の重量が薄紙よりも重いので、揺動部材２２の回転モーメントを薄紙に合わせて設定していれば、用紙幅方向が上凸形状にカールした普通紙は揺動部材２２で下凸形状に矯正されずに落下してしまう。
【００８７】
そこで、実施例１の揺動部材回転モーメント調整手段２５を機能させて、回転モーメント調整部材２６を軸支している水平変位部材２８を普通紙に対応して支持部材２１の後方側に予め移動させる。
【００８８】
そして、水平変位部材２８が後方側に移動しているときに、回転モーメント調整部材２６は、この一端となる先端が揺動部材２２の他端部２２ｂ上で軸２３から離れた後方部位に当接する。
【００８９】
この際、揺動部材２２の他端部２２ｂは、第１切り替え部材２４に形成したストッパ片２４ｃに当接して水平状態を保っているが、揺動部材２２の他端部２２ｂ上で軸２３から離れた後方部位に回転モーメント調整部材２６の荷重が印加される。
【００９０】
この普通紙の場合に、揺動部材２２の揺動支点となる軸２３から回転モーメント調整部材２６の揺動部材２２への当接先端までの間の距離Ｋ１は長く、且つ、回転モーメント調整部材２６の当接先端から当接終端までの間の距離Ｋ２は短いので、回転モーメント調整部材２６の荷重は軽い。
【００９１】
これにより、揺動部材２２の回転モーメントは、薄紙に対応して設定された回転モーメントと、回転モーメント調整部材２６の揺動部材２２への当接距離に応じて生じる回転モーメントとを合わせて、普通紙に対応できるように薄紙の場合よりも揺動部材２２の回転モーメントが大きく設定されている。
【００９２】
ここで、印刷済みの普通紙の幅方向が上凸形状にカールした状態で排紙されて落下すると、普通紙の幅方向の両側端縁が３個の揺動部材２２のうちで最上段の揺動部材２２の一端部２２ａに当接する。
【００９３】
そして、各揺動部材２２は普通紙に応じて回転モーメントが予め設定されているので、普通紙の自重で最上段の揺動部材２２の一端部２２ａが軸２３を中心にして図示反時計方向に揺動すると共に、揺動部材２２の他端部２２ｂ上に当接している回転モーメント調整部材２６は揺動部材２２の軸２３と当接先端までの距離Ｋが１長いために軸２７を中心にして図示時計方向に軽い状態で持ち上げられる。
【００９４】
この後、普通紙は最上段の揺動部材２２の一端部２２ａから落下し、更に最上段の揺動部材２２よりも下方の揺動部材２２の一端部２２ａに順次当接する。
【００９５】
従って、普通紙の幅方向の両側端縁が複数の揺動部材２２の一端部２２ａに当接することにより、普通紙の幅方向が下凸形状に矯正されながらこの普通紙の幅方向の両側端縁がサイドフェンス１３Ｌ又は１３Ｒに沿って落下するので、排紙台１１（図１）上に用紙積載位置が揃った状態で整然と積載される。
【００９６】
更に、図６（ｃ）に示す如く、坪量が１２０ｇ／ｍ２以上の厚紙の場合には、厚紙の重量が薄紙又は普通紙よりも重いので、揺動部材２２の回転モーメントを薄紙又は普通紙に合わせて設定していれば、用紙幅方向が上凸形状にカールした厚紙は揺動部材２２で下凸形状に矯正されずに落下してしまう。
【００９７】
そこで、実施例１の揺動部材回転モーメント調整手段２５を機能させて、回転モーメント調整部材２６を軸支している水平変位部材２８を厚紙に対応して支持部材２１の前方側に予め移動させる。
【００９８】
そして、水平変位部材２８が前方側に移動しているときに、回転モーメント調整部材２６は、この一端となる先端が揺動部材２２の他端部２２ｂ上で軸２３に接近した前方部位に当接する。
【００９９】
この際、揺動部材２２の他端部２２ｂは、第１切り替え部材２４に形成したストッパ片２４ｃに当接して水平状態を保っているが、揺動部材２２の他端部２２ｂ上で軸２３に接近した前方部位に回転モーメント調整部材２６の荷重が印加される。
【０１００】
この厚紙の場合に、揺動部材２２の揺動支点となる軸２３から回転モーメント調整部材２６の揺動部材２２への当接先端までの間の距離Ｋ３は普通紙の場合よりも短く、且つ、回転モーメント調整部材２６の当接先端から当接終端までの間の距離Ｋ４は普通紙の場合よりも長いので、回転モーメント調整部材２６の荷重は普通紙の場合よりも重い。
【０１０１】
これにより、揺動部材２２の回転モーメントは、薄紙に対応して設定された回転モーメントと、回転モーメント調整部材２６の揺動部材２２への当接距離に応じて生じる回転モーメントとを合わせて、厚紙に対応できるように薄紙及び普通紙の場合よりも揺動部材２２の回転モーメントが大きく設定されている。
【０１０２】
ここで、印刷済みの厚紙の幅方向が上凸形状にカールした状態で排紙されて落下すると、厚紙の幅方向の両側端縁が３個の揺動部材２２のうちで最上段の揺動部材２２の一端部２２ａに当接する。
【０１０３】
そして、各揺動部材２２は厚紙に応じて回転モーメントが予め設定されているので、厚紙の自重で最上段の揺動部材２２の一端部２２ａが軸２３を中心にして図示反時計方向に揺動すると共に、揺動部材２２の他端部２２ｂ上に当接している回転モーメント調整部材２６は揺動部材２２の軸２３と当接先端までの距離Ｋ３が短いために軸２７を中心にして図示時計方向に普通紙の場合よりも重い状態で持ち上げられる。
【０１０４】
この後、厚紙は最上段の揺動部材２２の一端部２２ａから落下し、更に最上段の揺動部材２２よりも下方の揺動部材２２の一端部２２ａに順次当接する。
【０１０５】
従って、厚紙の幅方向の両側端縁が複数の揺動部材２２の一端部２２ａに当接することにより、厚紙の幅方向が下凸形状に矯正されながらこの厚紙の幅方向の両側端縁がサイドフェンス１３Ｌ又は１３Ｒに沿って落下するので、排紙台１１（図１）上に用紙積載位置が揃った状態で整然と積載される。
【０１０６】
上記から、実施例１の揺動部材回転モーメント調整手段２５によると、回転モーメント調整部材２６を軸支した水平変位部材２８を支持部材２１の前後方向に移動させ、揺動部材２２の他端部２２ｂ上への回転モーメント調整部材２６の一端の当接位置を変位させることで、用紙Ｐの種類に応じて揺動部材２２の回転モーメントを調整できる。
【０１０７】
尚、この実施例１では、揺動部材回転モーメント調整手段２５により、普通紙及び厚紙に対応して水平変位部材２８を２段階変位させて揺動部材２２の他端部２２ｂ上への回転モーメント調整部材２６の当接位置を変えているが、これに限ることなく、薄紙及び普通紙並びに厚紙に対応して水平変位部材２８をクリック感を持たせて前後方向に３段階変位させても良い。
【０１０８】
更に、外形サイズの異なる用紙Ｐの重量に応じて水平変位部材２８を適宜な位置に変位させて、揺動部材２２の他端部２２ｂ上への回転モーメント調整部材２６の当接位置を変えても良い。
【０１０９】
次に、図７は実施例１の排紙装置１０において、左右一対のサイドフェンス１３の各外面に互に対向して２組の用紙カール矯正手段２０Ａ，２０ＢをＨ１だけ高さを違えて取り付けた状態を示している。
【０１１０】
図７に示す如く、左右一対のサイドフェンス１３Ｌ，１３Ｒの各外側に互に対向して取り付けた２組の用紙カール矯正手段２０Ａ，２０Ｂは、先に図１を用いて説明したように用紙送方向の上流側に所定の間隔を隔てて並設されている。
【０１１１】
上記した用紙カール矯正手段２０Ａ，２０Ｂは同一に構成されているが、左右一対のサイドフェンス１３Ｌ，１３Ｒの高さ方向に高さをＨ１だけずらして取り付けられているので、各支持部材２１の前面２１ａ側に揺動可能に設けた各３個の揺動部材２２も、それぞれ前面２１ａ側にＨ１だけ高さを違えて突出している。
【０１１２】
そして、用紙幅方向が上凸形状にカールした印刷済みの用紙Ｐが排紙台１１に向って落下する際に、印刷済みの用紙Ｐの幅方向の両側端縁Ｐａ，Ｐｂは高さ方向に沿って計６個の揺動部材２２に順次当接して、印刷済みの用紙Ｐの幅方向を下凸形状に矯正しながら左右一対のサイドフェンス１３Ｌ，１３Ｒに沿って落下するので、排紙台１１の用紙積載面１１ａ上に用紙幅方向を下凸形状に矯正された印刷済みの用紙Ｐがより一層整然と積載される。
【０１１３】
次に、図８は実施例１の用紙カール矯正手段２０において、印刷済みの用紙Ｐを排紙台１１上から上方に向かって取り出す状態を示している。
【０１１４】
図８に示す如く、排紙台１１上に積載された複数枚の印刷済みの用紙Ｐの束は剛性があるので、ユーザが用紙Ｐの束を排紙台１１上から上方に向かって持ち上げると、用紙Ｐの束が３個の揺動部材２２のうちで最下段の揺動部材２２の一端部２２ａに当接し、用紙Ｐの束の剛性により最下段の揺動部材２２の一端部２２ａが上方に持ち上げられる。
【０１１５】
この動作に伴って、最下段の揺動部材２２の一対の軸２３，（２３）が支持部材２１の一対の側面２１ｄ，（２１ｅ）に形成した三日月状溝２１ｄ１，（２１ｅ１）に沿って上方に移動し、最下段の揺動部材２２の一端部２２ａはサイドフェンス１３Ｌ又は１３Ｒの内面から退避するので、用紙Ｐの束を上方に移動でき、以下同様に、上方の揺動部材２２の一端部２２ａも順次退避するので、印刷用紙Ｐの束を排紙台１１上から容易に取り出すことができる。
【０１１６】
尚、各一対の軸２３，（２３）の上動により、各揺動部材２２の他端部２２ｂは第１切り替え部材２４に形成した第１ストッパ片２４ｃに斜めに当接し、これに伴って、各揺動部材２２の他端部２２ｂ上に当接している回転モーメント調整部材２６は軸２７を中心にして図示時計方向に揺動する。
【０１１７】
これにより、回転モーメント調整部材２６は、揺動部材２２の退避に対して妨げないように揺動している。
【実施例２】
【０１１８】
図９（ａ）〜（ｃ）は実施例２の用紙カール矯正手段２０’において、支持部材２１内の前面２１ａ側に揺動可能に支持した揺動部材２２を印刷済みの用紙Ｐの種類に応じて回転モーメントを調整するときの動作を示している。
【０１１９】
図９（ａ）〜（ｃ）に示した実施例２の用紙カール矯正手段２０’は、先に説明した実施例１の用紙カール矯正手段２０の構成と一部を除いて同様の構成であり、ここでは説明の便宜上、先に示した構成部材に対しては同一の符号を付し、且つ、先に示した構成部材は必要に応じて適宜説明し、実施例１に対して異なる構成部材に新たな符号を付して説明する。
【０１２０】
尚、この図９中では、重量が異なる用紙Ｐの種類の場合について説明するが、重量が異なる用紙Ｐの外形サイズの場合にも用紙の重量に応じて揺動部材２２の回転モーメントを調整すれば良いものである。
【０１２１】
上記した実施例２の用紙カール矯正手段２０’では、先に説明した実施例１の用紙カール矯正手段２０に対して回転モーメント調整部材２６及びこの回転モーメント調整部材２６を軸支している水平変位部材２８による実施例１の揺動部材回転モーメント調整手段２５を取り外して、これに代えて揺動部材２２の回転モーメントを用紙Ｐの種類や外形サイズに応じてバネ力により調整できる実施例２の揺動部材回転モーメント調整手段３０を採用している。
【０１２２】
具体的には、支持部材２１の前面２１ａ側に揺動可能に設けた複数の揺動部材２２それぞれは、一端部２２ａと他端部２２ｂとが「く字状」に屈曲されて両部が接合する部位の幅方向の左右に一対の軸２３，（２３）が嵌め込まれて、これら一対の軸２３，（２３）が支持部材２１の一対の側面２１ｄ，（２１ｅ）に貫通して３ヶ所形成した三日月状溝２１ｄ１，（２１ｅ１）内の最下端部位に揺動可能に軸支されている。
【０１２３】
また、各揺動部材２２の一端部２２ａは、排紙台１１側に向かって傾斜して支持部材２１の前面２１ａから突出し、一方、各揺動部材２２の他端部２２ｂは、第１切り替え部材２４に形成したストッパ片２４ｃに当接して水平状態を保っている。
【０１２４】
ここで、実施例１に対して異なる実施例２の揺動部材回転モーメント調整手段３０は、各揺動部材２２の他端部２２ｂの後端部位に各引張バネ３１の一端が係止されており、且つ、各引張バネ３１の他端は支持部材２１の一方の側面２１ｄに沿って上下動する第３切り替え部材３２に植設したバネ係止ピン３３に係止されている。尚、符番２１ｄ５は支持部材２１の一方の側面２１ｄに形成したバネ係止ピン用逃げ孔である。
【０１２５】
そして、図９（ａ）に示す如く、坪量が６０ｇ／ｍ２以下の薄紙の場合には、薄紙の重量が最も軽いので、揺動部材２２の回転モーメントを薄紙の自重に応じて揺動させるために、第３切り替え部材３２を最も高い位置まで上動させている。
【０１２６】
これにより、引張バネ３１の他端は揺動部材２２に接近し、引張バネ３１の長さＬ０が自然長となるために、引張バネ３１のバネ力が揺動部材２２に殆ど印加されない。従って、薄紙の場合には、揺動部材２２の回転モーメントが低く設定されている。
【０１２７】
一方、図９（ｂ）に示す如く、坪量が６０ｇ／ｍ２〜１２０ｇ／ｍ２程度の普通紙の場合には、普通紙の重量が薄紙よりも重いので、揺動部材２２の回転モーメントを普通紙の自重に応じて揺動させるために、第３切り替え部材３２を最も高い位置よりもクリック感を持たせて一段下げている。
【０１２８】
これにより、引張バネ３１の長さＬ１が薄紙の場合の自然長Ｌ０よりも長くなり、引張バネ３１のバネ力が薄紙の場合よりも大きく揺動部材２２に印加される。従って、普通紙の場合には、揺動部材２２の回転モーメントが薄紙の場合よりも大きく設定されている。
【０１２９】
更に、図９（ｃ）に示す如く、坪量が１２０ｇ／ｍ２以上の厚紙の場合には、厚紙の重量が薄紙又は普通紙よりも重いので、揺動部材２２の回転モーメントを厚紙の自重に応じて揺動させるために、第３切り替え部材３２を最も低い位置まで下げている。
【０１３０】
これにより、引張バネ３１の長さＬ２が普通紙の場合の長さＬ１よりも長くなり、引張バネ３１のバネ力が普通紙の場合よりも大きく揺動部材２２に印加される。従って、厚紙の場合には、揺動部材２２の回転モーメントが普通紙の場合よりも大きく設定されている。
【０１３１】
この際、図９（ａ）〜（ｃ）に示すように、用紙幅方向が上凸形状にカールした薄紙及び普通紙並びに厚紙を複数の揺動部材２２により下凸形状に矯正させる動作は、先に図６（ａ）〜（ｃ）を用いて説明した実施例１と同じであるので説明を省略する。
【０１３２】
尚、この実施例２において、引張バネ３１の長さを可変するために上下動自在な第３切り替え部材３２を用いて説明したが、これに限ることなく、引張バネ３１の他端を支持部材２１の高さ方向に沿って取り付けた積層型圧電素子（図示せず）に係止させて、積層型圧電素子の変位により引張バネ３１の長さを可変させても良い。
【符号の説明】
【０１３３】
１…印刷装置、１ａ…用紙排紙口、
１０…排紙装置、
１１…排紙台、１１ａ…用紙積載面、
１３Ｌ，１３Ｒ…左右一対のサイドフェンス、
１５…エンドフェンス、
２０（２０Ａ，２０Ｂ）…実施例１の用紙カール矯正手段、
２０’…実施例２の用紙カール矯正手段、
２１…支持部材、２１ａ…前面、２１ｂ…内部、２１ｃ…後面、
２１ｄ…一方の側面、２１ｄ１…三日月状溝、２１ｄ２…第１垂直ガイド片、
２１ｄ３…角孔、２１ｄ４…第１水平ガイド片、
２１ｅ…他方の側面、２１ｅ１…三日月状溝、２１ｅ２…第２水平ガイド片、
２１ｅ３…第２垂直ガイド片、２１ｅ４…長孔、２１ｅ５…バネ係止ピン用逃げ孔、
２２…揺動部材、２２ａ…一端部、２２ｂ…他端部、２３，２３…一対の軸、
２４…第１切り替え部材、２４ａ…水平片、２４ｂ…垂直片、
２４ｃ…第１ストッパ片、
２５…実施例１の揺動部材回転モーメント調整手段、
２６…回転モーメント調整部材、２７，２７…一対の軸、
２８…水平変位部材、２８ａ…面、２８ｂ，２８ｃ…一対の側面、
２９…第２切り替え部材、２９ａ…水平片、２９ｂ…垂直片、
２９ｃ…第２ストッパ片、
３０…実施例２の揺動部材回転モーメント調整手段、
３１…引張バネ、３２…第３切り替え部材、３３…バネ係止ピン、
Ｐ…用紙、Ｐａ，Ｐｃ…用紙の幅方向の両側端縁、Ｐｃ…用紙の搬送方向の先端縁、
Ｐｉ…インク印刷面。
【図１】
2013170083.tif 000003
【図２】
2013170083.tif 000004
【図３】
2013170083.tif 000005
【図４】
2013170083.tif 000006
【図５】
2013170083.tif 000007
【図６】
2013170083.tif 000008
【図７】
2013170083.tif 000009
【図８】
2013170083.tif 000010
【図９】
2013170083.tif 000011